【事件の表示】
　特願２０１７−　８６３７１号「遊技機」拒絶査定不服審判事件〔平成３０年１１月２２日出願公開、特開２０１８−１８３３５２号〕について、次のとおり審決する。
【結　論】
　本件審判の請求は、成り立たない。
【理　由】
第１　手続の経緯の概要
　本願は、平成２９年４月２５日に出願した特許出願（特願２０１７−８６３７１号）であって、平成３１年３月６日付けで拒絶の理由が通知され、令和１年５月９日に意見書及び手続補正書が提出されたところ、同年１０月９日付け（送達日：同年１０月１５日）で拒絶査定（以下「原査定」という。）がなされ、それに対して、令和２年１月８日に拒絶査定不服審判の請求がなされると同時に手続補正書が提出されたものである。
　
第２　令和２年１月８日にされた手続補正についての補正の却下の決定
［補正の却下の決定の結論］
　令和２年１月８日にされた手続補正（以下「本件補正」という。）を却下する。
　
［理由］
１　補正の内容
　本件補正により、令和１年５月９日付け手続補正書の特許請求の範囲の請求項１における、
　「【請求項１】
　遊技を行うことが可能な遊技機であって、
　第１言語と第２言語とを含む複数種類の言語のうち少なくとも１の言語を用いた制御を実行可能な制御手段と、
　前記第１言語を用いた制御が実行されることにより、特典の付与に関する報知を実行する特典報知手段と、
　前記第１言語と前記第２言語との双方を用いた制御が実行されることにより、異常に関する報知を実行する異常報知手段とを備え、
　遊技に関する設定を行うことが可能な設定画面において、前記設定に関する１の事項を前記第１言語と前記第２言語との双方を用いて表示する、遊技機。」は、
　令和２年１月８日付け手続補正書の特許請求の範囲の請求項１における、
　「【請求項１】
　遊技を行うことが可能な遊技機であって、
　第１言語と第２言語とを含む複数種類の言語のうち少なくとも１の言語を用いた制御を実行可能な制御手段と、
　前記第１言語を用いた
表示
　前記第１言語と前記第２言語との双方を用いた
表示
　遊技に関する設定を行うことが可能な設定画面において、前記設定に関する１の事項を前記第１言語と前記第２言語との双方を用いて表示
し、
　
前記異常報知手段により前記異常に関する報知が実行されるときは、該異常に関する報知に対応する音声が、前記第２言語で出力されず、前記第１言語で出力される
　
２　補正の適否
２−１　補正の目的及び新規事項について
（１）補正事項
　本件補正後の請求項１に係る上記補正は、以下に挙げる補正事項を含むものである。
　ア　本件補正前の請求項１に係る発明を特定するために必要な事項である「前記第１言語を用いた制御」及び「前記第１言語と前記第２言語との双方を用いた制御」との記載を、それぞれ「前記第１言語を用いた表示」及び「前記第１言語と前記第２言語との双方を用いた表示」との記載にする補正。
　イ　本件補正前の請求項１に係る発明を特定するために必要な事項である「異常に関する報知」に関して、「前記異常報知手段により前記異常に関する報知が実行されるときは、該異常に関する報知に対応する音声が、前記第２言語で出力されず、前記第１言語で出力される」という記載を追加する補正。
（２）本件補正の目的及び根拠
　ア　本件補正後の請求項１に係る上記（１）アの補正は、願書に最初に添付された特許請求の範囲、明細書及び図面（以下「当初明細書等」という。）の【０００７】、【００１４】、図１１及び図１２等の記載に基づいて、本件補正前請求項１において記載されていた「前記第１言語を用いた制御」及び「前記第１言語と前記第２言語との双方を用いた制御」に関して、当該各「制御」を「表示」と特定することで、それぞれ「前記第１言語を用いた表示」及び「前記第１言語と前記第２言語との双方を用いた表示」と限定するものである。
　イ　本件補正後の請求項１に係る上記（１）イの補正は、当初明細書等の【０１７９】及び図１２等の記載に基づいて、本件補正前請求項１において記載されていた「異常に関する報知」に関して、「前記異常報知手段により前記異常に関する報知が実行されるときは、該異常に関する報知に対応する音声が、前記第２言語で出力されず、前記第１言語で出力される」と限定するものである。
　以上のとおり、本件補正後の請求項１に係る上記（１）ア及びイの補正は、新規事項を追加するものではないから、特許法第１７条の２第３項に規定する要件を満たす。
　また、本件補正後の請求項１に係る上記（１）ア及びイの補正は、本件補正前の請求項１に係る発明を特定するために必要な事項を限定するものであって、産業上の利用分野及び解決しようとする課題が補正の前後において同一であるから、それぞれ特許法第１７条の２第５項第２号に掲げる特許請求の範囲の減縮を目的とするものである。
　
２−２　独立特許要件について
　そこで、本件補正後の請求項１に係る発明（以下「本件補正発明」という。）が特許出願の際に独立して特許を受けることができるものであるか否か、すなわち、特許法第１７条の２第６項において準用する同法第１２６条第７項の規定に適合するか否かについて、以下に検討する。
（１）本件補正発明
　本件補正発明は、次のとおりのものであると認める（記号Ａ〜Ｇは、分説するため当審判合議体にて付した。）。
　「Ａ　遊技を行うことが可能な遊技機であって、
Ｂ　第１言語と第２言語とを含む複数種類の言語のうち少なくとも１の言語を用いた制御を実行可能な制御手段と、
Ｃ　前記第１言語を用いた表示が実行されることにより、特典の付与に関する報知を実行する特典報知手段と、
Ｄ　前記第１言語と前記第２言語との双方を用いた表示が実行されることにより、異常に関する報知を実行する異常報知手段とを備え、
Ｅ　遊技に関する設定を行うことが可能な設定画面において、前記設定に関する１の事項を前記第１言語と前記第２言語との双方を用いて表示し、
Ｆ　前記異常報知手段により前記異常に関する報知が実行されるときは、該異常に関する報知に対応する音声が、前記第２言語で出力されず、前記第１言語で出力される、
Ｇ　遊技機。」
（２）先願発明
　原査定の拒絶理由において提示された、本願の出願の日前の他の特許出願であって、その出願後に出願公開がされた特願２０１７−４７３２０号（特開２０１８−１４９０６６号公報参照。以下「先願」という。）（出願日：平成２９年３月１３日、出願人：サミー株式会社、発明者：宮前晶、他８名）の願書に最初に添付された明細書（以下「先願明細書」という。）、特許請求の範囲または図面（以下先願明細書と併せて「先願明細書等」という。）には、「遊技機」に関して次の事項が図面とともに記載されている（下線は当審判合議体で付した。以下同様。）。
ア　記載事項
（１−ａ）「【００１３】
　図１は、ぱちんこ遊技機の前面側における基本的な構造を示す。
ぱちんこ遊技機１００
（１−ｂ）「【００３３】
　以上のような構成の遊技機においてなされる遊技の方法および制御の流れを概説する。
遊技者が発射ハンドル１０７を手で回動させると、その回動角度に応じた強度で上球皿１０５に貯留された遊技球が１球ずつレール８２に案内されて遊技領域８１へ発射され
遊技領域８１の上部へ発射された遊技球は、複数の遊技釘や風車、センター飾り６４等に当たりながらその当たり方に応じた方向へ落下
遊技球が一般入賞口３３、第１始動口１１、第２始動口１２、大入賞口２０の各入賞口へ落入すると、その入賞口の種類に応じた賞球が上球皿１０５または下球皿１０６に払い出される
（１−ｃ）「【０２１２】
　（実施例）　つづいて、本実施例の特徴的な構成について説明する。本実施例では、演出表示装置６０に文字情報を表示する際に、１種類の言語だけでなく、複数の種類の言語により文字情報を表示可能とする。実施例のぱちんこ遊技機は、
初期状態においては、文字情報を表示する際の言語の種別として日本語が選択されており、
日本語のみで文字情報を表示するが、日本語以外の言語、例えば、英語、中国語、韓国語による文字情報の表示に対応しており、遊技者がそれらの言語の中から表示を希望する言語の種別を設定すると、設定した種別の言語でも文字情報を表示することができる
初期状態で設定される言語（上記の説明では、日本語）を「第１の言語」
第１の言語以外に遊技者が設定可能な言語（上記の説明では、英語、中国語、韓国語）を「第２の言語」と呼ぶ
（１−ｄ）「【０２２９】
　第４の例は、大当り開始デモにおいて表示される文字情報である。
特別遊技が開始されるときに表示される大当り開始デモにおいて、特別遊技の契機となった大当りの種類、確変の有無、特別遊技を構成する単位遊技の数などに応じて特別遊技の名称などが表示される場合に、第２の言語による文字情報は
「大当り」の訳語を表示する
（１−ｅ）「【０２３１】
　［多言語表示対応エラーと多言語表示非対応エラー］　本実施例では、
遊技中にエラーが発生したときに演出表示装置６０にエラーメッセージを表示する際にも、１種類の言語だけでなく、複数の種類の言語により文字情報を表示可能とする
第２の言語により文字情報を表示可能なエラーを「第１の種別のエラー」と呼
・・・
【０２３４】
　
スピーカー１０８から出力される音声によっても、発生したエラーに関する情報を報知する場合、第１の種別のエラーに関する情報は、第１の言語による音声だけでなく第２の言語による音声もスピーカー１０８から出力可能としてもよく
第２の種別のエラーに関する情報は、第１の言語による音声を出力し、第２の言語による音声を出力しなくてもよい
【０２３５】
　
サブＣＰＵ３１０により実現されるエラー制御手段
（１−ｆ）「【０２３７】
　図２９は、第２の言語の種別を遊技者が設定するための設定画面の例を示す。サブＣＰＵ３１０は、設定画面を表示させるための操作、例えば演出ボタン１０９の押下を検出すると、図２９（ａ）に示す設定画面を演出制御手段３０４に表示させる。本実施例のぱちんこ遊技機においては、スピーカー１０８から出力される演出などの音声の音量や、装飾ランプ１１１の光量のほか、遊技に関する各種の設定ができるようになっている。各種設定を受け付けるためのメニュー項目には、このぱちんこ遊技機が多言語表示に対応していることを示す多言語表示対応アイコン７５０が表示されており、「各種設定」のメニュー項目から多言語表示機能の設定ができることが示される。
【０２３８】
　「各種設定」のメニュー項目が選択されると、図２９（ｂ）の設定画面に遷移させる。「各種設定」のメニュー項目として、各種のボタンを自動入力する機能の設定を受け付けるためのメニュー項目と、第２の言語による文字情報の表示の設定を受け付けるためのメニュー項目が表示されている。第２の言語による文字情報の表示の設定を受け付けるためのメニュー項目は、日本語を読むことができない遊技者のために英語で表示するとともに、多言語表示機能を設定するためのメニュー項目であることを分かりやすくするために多言語表示対応アイコン７５０を表示する。
【０２３９】
　
「ＬＡＮＧＵＡＧＥ」のメニュー項目が選択されると、図２９（ｃ）の設定画面に遷移させる。「ＬＡＮＧＵＡＧＥ」の設定画面において、遊技者は、複数の言語の中から所望の第２の言語を選択して設定することができる
・・・
【０２４１】
　
サブＣＰＵ３１０は、第２の言語の設定を遊技者から受け付けると、サブＲＡＭ３１１の所定領域に、設定された第２の言語の種別を示すデータを格納
演出制御手段３０４は、演出表示装置６０に文字情報を表示する際に、サブＲＡＭ３１１に格納された第２の言語の種別を示すデータを参照して、第２の言語が設定されているか否かを確認
第２の言語が設定されており、かつ、表示しようとしている第１の言語による文字情報に対応する第２の言語による文字情報がデータＲＯＭ３２４に格納されている場合には、データＲＯＭ３２４から第２の言語による文字情報を読み出して表示する
イ　認定事項
（１−ｇ）認定事項
図２９
　段落【０２３９】の「「ＬＡＮＧＵＡＧＥ」のメニュー項目が選択されると、図２９（ｃ）の設定画面に遷移させる。「ＬＡＮＧＵＡＧＥ」の設定画面において、遊技者は、複数の言語の中から所望の第２の言語を選択して設定することができる。」との記載、段落【０２１２】の「日本語以外の言語、例えば、英語、中国語、韓国語による文字情報の表示に対応しており、遊技者がそれらの言語の中から表示を希望する言語の種別を設定すると、設定した種別の言語でも文字情報を表示することができる。」との記載、及び、図２９（ｃ）の開示内容を参酌すれば、図２９（ｃ）には、
「「ＬＡＮＧＵＡＧＥ」の設定画面において」、「第２の言語を選択」するための「メニュー項目」が、「日本語」、「英語」、「中国語」及び「韓国語」で表示される
（１−ｈ）認定事項
　段落【０２３４】の「スピーカー１０８から出力される音声によっても、発生したエラーに関する情報を報知する場合、第１の種別のエラーに関する情報は、第１の言語による音声だけでなく第２の言語による音声もスピーカー１０８から出力可能としてもよく」との記載事項に関して検討すると、当該記載事項には、「第１の言語による音声
だけでなく
してもよい
　そして、先願明細書等に開示された上記構成に加えて、段落【０２３１】の「遊技中にエラーが発生したときに演出表示装置６０にエラーメッセージを表示する際にも、１種類の言語だけでなく、複数の種類の言語により文字情報を表示可能とする」及び「第２の言語により文字情報を表示可能なエラーを「第１の種別のエラー」と呼」ぶとの記載とを参酌すれば、先願明細書等には、「
遊技中にエラーが発生したときに演出表示装置６０にエラーメッセージを表示する際、発生したエラーに関する情報をスピーカー１０８から出力される音声によっても報知し、第１の種別のエラー（第２の言語により文字情報を表示可能なエラー）に関する情報は、第１の言語による音声だけでスピーカー１０８から出力する
　上記（１−ａ）〜（１−ｆ）の記載事項及び上記（１−ｇ）及び（１−ｈ）の認定事項を総合すれば、先願明細書等には、以下の発明（以下、「先願発明」という。）が記載されていると認められる。
　「ａ　遊技者が発射ハンドル１０７を手で回動させると、その回動角度に応じた強度で上球皿１０５に貯留された遊技球が１球ずつレール８２に案内されて遊技領域８１へ発射され、遊技領域８１の上部へ発射された遊技球は、複数の遊技釘や風車、センター飾り６４等に当たりながらその当たり方に応じた方向へ落下し、遊技球が一般入賞口３３、第１始動口１１、第２始動口１２、大入賞口２０の各入賞口へ落入すると、その入賞口の種類に応じた賞球が上球皿１０５または下球皿１０６に払い出されるぱちんこ遊技機１００（【００３３】、【００１３】）であって、
ｂ、ｃ　初期状態においては日本語（第１の言語）のみで文字情報を表示するが、英語、中国語、韓国語の中から表示を希望する言語の種別を設定すると、設定した種別の言語（第２の言語）でも文字情報を表示することができ（【０２１２】）、
　特別遊技が開始されるときに表示される大当り開始デモにおいて、特別遊技の契機となった大当りの種類、確変の有無、特別遊技を構成する単位遊技の数などに応じて特別遊技の名称が表示される場合に、第２の言語による文字情報は「大当り」の訳語を表示し（【０２２９】）、
　サブＣＰＵ３１０は、第２の言語の設定を遊技者から受け付けると、サブＲＡＭ３１１の所定領域に、設定された第２の言語の種別を示すデータを格納し、演出制御手段３０４は、演出表示装置６０に文字情報を表示する際に、サブＲＡＭ３１１に格納された第２の言語の種別を示すデータを参照して、第２の言語が設定されているか否かを確認し、第２の言語が設定されており、かつ、表示しようとしている第１の言語による文字情報に対応する第２の言語による文字情報がデータＲＯＭ３２４に格納されている場合には、データＲＯＭ３２４から第２の言語による文字情報を読み出して表示し（【０２４１】）、
ｄ　遊技中にエラーが発生したときに演出表示装置６０にエラーメッセージを表示する際にも、１種類の言語だけでなく、複数の種類の言語により文字情報を表示可能な、サブＣＰＵ３１０により実現されるエラー制御手段を備え（【０２３１】、【０２３５】）、
ｅ　「ＬＡＮＧＵＡＧＥ」の設定画面において、第２の言語を選択するためのメニュー項目が、日本語、英語、中国語及び韓国語で表示され（認定事項（１−ｇ））、
ｆ　遊技中にエラーが発生したときに演出表示装置６０にエラーメッセージを表示する際、発生したエラーに関する情報をスピーカー１０８から出力される音声によっても報知し、第１の種別のエラー（第２の言語により文字情報を表示可能なエラー）に関する情報は、第１の言語による音声だけでスピーカー１０８から出力する（認定事項（１−ｈ））、
ｇ　ぱちんこ遊技機１００（【００１３】）。」
（３）対比
　本件補正発明と先願発明とを対比する（本件補正発明の特定事項Ａ〜Ｇに対応させて、見出し（ａ）〜（ｇ）を付した。）。
（ａ）先願発明の「遊技者が発射ハンドル１０７を手で回動させると、その回動角度に応じた強度で上球皿１０５に貯留された遊技球が１球ずつレール８２に案内されて遊技領域８１へ発射され、遊技領域８１の上部へ発射された遊技球は、複数の遊技釘や風車、センター飾り６４等に当たりながらその当たり方に応じた方向へ落下し、遊技球が一般入賞口３３、第１始動口１１、第２始動口１２、大入賞口２０の各入賞口へ落入すると、その入賞口の種類に応じた賞球が上球皿１０５または下球皿１０６に払い出される」構成は、本件補正発明の「遊技を行うことが可能」な構成に相当し、先願発明の「ぱちんこ遊技機１００」は、本件補正発明の「遊技機」に相当する。
　してみると、先願発明の構成ａは、本件補正発明の構成Ａに相当する。
（ｂ）先願発明の「日本語（第１の言語）」及び「英語、中国語、韓国語の中から」「設定した種別の言語（第２の言語）」は、それぞれ本件補正発明の「第１言語」及び「第２言語」に相当することから、先願発明の「初期状態においては日本語（第１の言語）のみで文字情報を表示するが、英語、中国語、韓国語の中から表示を希望する言語の種別を設定すると、設定した種別の言語（第２の言語）でも文字情報を表示することができ」る構成は、本件補正発明の「第１言語と第２言語とを含む複数種類の言語のうち少なくとも１の言語を用いた制御を実行可能」な構成に相当する。
　また、先願発明は、「サブＣＰＵ３１０は、第２の言語の設定を遊技者から受け付けると、サブＲＡＭ３１１の所定領域に、設定された第２の言語の種別を示すデータを格納し、演出制御手段３０４は、演出表示装置６０に文字情報を表示する際に、サブＲＡＭ３１１に格納された第２の言語の種別を示すデータを参照して、第２の言語が設定されているか否かを確認し、第２の言語が設定されており、かつ、表示しようとしている第１の言語による文字情報に対応する第２の言語による文字情報がデータＲＯＭ３２４に格納されている場合には、データＲＯＭ３２４から第２の言語による文字情報を読み出して表示」することから、先願発明の「サブＣＰＵ３１０」及び「演出制御手段３０４」は、本件補正発明の「制御手段」に相当する機能を備える。
　してみると、先願発明の構成ｂ、ｃは、本件補正発明の構成Ｂに相当する構成を備える。
（ｃ）先願発明は、「初期状態においては日本語（第１の言語）のみで文字情報を表示するが、英語、中国語、韓国語の中から表示を希望する言語の種別を設定すると、設定した種別の言語（第２の言語）でも文字情報を表示することができ」る構成であることから、「特別遊技が開始されるときに表示される大当り開始デモにおいて、特別遊技の契機となった大当りの種類、確変の有無、特別遊技を構成する単位遊技の数などに応じて」「表示される」「特別遊技の名称」が、「日本語」であることは自明である。
　また、当該「特別遊技の名称」は、「特別遊技が開始されるときに表示される大当り開始デモにおいて、特別遊技の契機となった大当りの種類、確変の有無、特別遊技を構成する単位遊技の数などに応じて」「表示される」ことから、先願発明の「日本語」で表示される「特別遊技の名称」は、本件補正発明の「特典の付与に関する報知」に相当する。
　そして、先願発明は、「サブＣＰＵ３１０は、第２の言語の設定を遊技者から受け付けると、サブＲＡＭ３１１の所定領域に、設定された第２の言語の種別を示すデータを格納し、演出制御手段３０４は、演出表示装置６０に文字情報を表示する際に、サブＲＡＭ３１１に格納された第２の言語の種別を示すデータを参照して、第２の言語が設定されているか否かを確認し、第２の言語が設定されており、かつ、表示しようとしている第１の言語による文字情報に対応する第２の言語による文字情報がデータＲＯＭ３２４に格納されている場合には、データＲＯＭ３２４から第２の言語による文字情報を読み出して表示」することから、先願発明の「サブＣＰＵ３１０」及び「演出制御手段３０４」は、本件補正発明の「特典報知手段」に相当する機能を備える。
　してみると、先願発明の構成ｂ、ｃは、本件補正発明の構成Ｃに相当する構成を備える。
（ｄ）先願発明の「演出表示装置６０にエラーメッセージ」を「１種類の言語だけでなく、複数の種類の言語により」「表示」する構成は、本件補正発明の「前記第１言語と前記第２言語との双方を用いた表示が実行されることにより、異常に関する報知を実行する」構成に相当し、先願発明の「サブＣＰＵ３１０により実現されるエラー制御手段」は、本件補正発明の「異常報知手段」に相当する。
　してみると、先願発明の構成ｄは、本件補正発明の構成Ｄに相当する。
（ｅ）先願発明の「第２の言語を選択する」ことは、本件補正発明の「遊技に関する設定を行うこと」及び「前記設定に関する１の事項」に相当することから、先願発明の「「ＬＡＮＧＵＡＧＥ」の設定画面」は、本件補正発明の「遊技に関する設定を行うことが可能な設定画面」に相当する。
　そして、先願発明の「「ＬＡＮＧＵＡＧＥ」の設定画面」の「第２の言語を選択するためのメニュー項目」を「日本語、英語、中国語及び韓国語で表示」する構成は、本件補正発明の「前記設定に関する１の事項を前記第１言語と前記第２言語との双方を用いて表示」する構成に相当する。
　してみると、先願発明の構成ｅは、本件補正発明の構成Ｅに相当する。
（ｆ）先願発明の「遊技中にエラーが発生したときに演出表示装置６０にエラーメッセージを表示する際」は、本件補正発明の「前記異常報知手段により前記異常に関する報知が実行されるとき」に相当し、先願発明の「発生したエラーに関する情報」に関する「スピーカー１０８から出力される音声」は、本件補正発明の「該異常に関する報知に対応する音声」に相当する。
　そして、先願発明の「発生したエラーに関する情報をスピーカー１０８から出力される音声によっても報知し、第１の種別のエラー（第２の言語により文字情報を表示可能なエラー）に関する情報は、第１の言語による音声だけでスピーカー１０８から出力する」構成は、本件補正発明の「該異常に関する報知に対応する音声が、前記第２言語で出力されず、前記第１言語で出力される」構成に相当する。
　してみると、先願発明の構成ｆは、本件補正発明の構成Ｆに相当する。
（ｇ）先願発明における「ぱちんこ遊技機１００」が、本件補正発明の「遊技機」に相当することは上記（ａ）にて説示のとおりである。
　してみると、先願発明の構成ｇは、本件補正発明の構成Ｇに相当する。
　したがって、上記（ａ）〜（ｇ）によれば、本件補正発明と先願発明は、
　「Ａ　遊技を行うことが可能な遊技機であって、
Ｂ　第１言語と第２言語とを含む複数種類の言語のうち少なくとも１の言語を用いた制御を実行可能な制御手段と、
Ｃ　前記第１言語を用いた表示が実行されることにより、特典の付与に関する報知を実行する特典報知手段と、
Ｄ　前記第１言語と前記第２言語との双方を用いた表示が実行されることにより、異常に関する報知を実行する異常報知手段とを備え、
Ｅ　遊技に関する設定を行うことが可能な設定画面において、前記設定に関する１の事項を前記第１言語と前記第２言語との双方を用いて表示し、
Ｆ　前記異常報知手段により前記異常に関する報知が実行されるときは、該異常に関する報知に対応する音声が、前記第２言語で出力されず、前記第１言語で出力される、
Ｇ　遊技機。」
の点で一致し、相違する点はない。
　
（４）請求人の主張
　令和２年１月８日提出の審判請求書において、請求人は概略以下の点について主張する。
ア　先願明細書等には、「「第１の種別のエラーに対応する音声の出力として、第２の言語で出力されずかつ第１の言語で出力される事項」は記載されてお」らず「補正後の本願発明と先願１に係る発明と」「は相違」する。
イ　「補正後の本願発明が上述の特徴を有することにより」、「異常に関する報知が実行されるときに、第１言語の音声および第２言語の音声の双方が同時に出力された場合には、例えば第１言語を理解できる者であっても、この音声を理解し難くなるという問題」「が生じることを防止でき」、「保持する音声データの容量を削減でき」、「異常の発生の原因となる遊技者による不正行為の店員による発見が遅れてしまうという問題」「が生じることを防止できるという新たな効果を奏」する。
　
　そこで、請求人の上記各主張について検討すると、上記（２）イ（１−ｈ）及び上記（３）（ｆ）で説示したとおり、先願発明は、本件補正発明の構成Ｆ（「前記異常報知手段により前記異常に関する報知が実行されるときは、該異常に関する報知に対応する音声が、前記第２言語で出力されず、前記第１言語で出力される」）に相当する構成を備えることから、請求人の上記主張アは理由がない。また、請求人が上記主張イで新たな効果として主張する各事項も、構成Ｆを含む全ての構成で本件補正発明と一致する先願発明であれば、当然奏する効果であると認められることから、請求人の上記主張イについても理由がない。
　したがって、請求人の上記各主張を採用することはできない。
　
（５）まとめ
　上記（１）〜（４）より、本件補正発明は、先願発明と同一の発明であり、しかも、本件補正発明の発明者が先願発明の発明者と同一であるとはいえず、また、本願の出願時点において、その出願人が先願発明の出願人と同一であるともいえないので、本件補正発明は、特許法第２９条の２の規定により特許を受けることができない。そして、本件補正発明は、特許出願の際に独立して特許を受けることができないものであるから、本件補正は、同法第１７条の２第６項において準用する同法第１２６条第７項に規定する要件を満たさないものであり、同法第１５９条第１項において読み替えて準用する同法第５３条第１項の規定により却下すべきものである。
　
第３　本願発明について
１　本願発明
　本件補正は、上記のとおり却下されることとなったので、本願の請求項１に係る発明（以下「本願発明」という。）は、令和１年５月９日付け手続補正書により補正された、次のとおりのものと認める。
「【請求項１】
　遊技を行うことが可能な遊技機であって、
　第１言語と第２言語とを含む複数種類の言語のうち少なくとも１の言語を用いた制御を実行可能な制御手段と、
　前記第１言語を用いた制御が実行されることにより、特典の付与に関する報知を実行する特典報知手段と、
　前記第１言語と前記第２言語との双方を用いた制御が実行されることにより、異常に関する報知を実行する異常報知手段とを備え、
　遊技に関する設定を行うことが可能な設定画面において、前記設定に関する１の事項を前記第１言語と前記第２言語との双方を用いて表示する、遊技機。」
　
２　原査定の概要
　原査定の拒絶の理由の概要は、以下のとおりのものである。
　
（拡大先願）この出願の下記の請求項に係る発明は、その出願の日前の特許出願であって、その出願後に特許掲載公報の発行又は出願公開がされた下記の特許出願の願書に最初に添付された明細書、特許請求の範囲又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により、特許を受けることができない。
・請求項１
・引用文献等１
先願発明：特願２０１７−４７３２０号（特開２０１８−１４９０６６号）
　
３　先願発明
　先願明細書等の記載事項及び先願発明の認定については、上記「第２［理由］２　２−２（２）」に説示したとおりである。
　
４　対比・判断
　本願発明は、上記「第２［理由］２　２−２（１）」で検討した本件補正発明から、「前記第１言語を用いた表示」及び「前記第１言語と前記第２言語との双方を用いた表示」と特定された事項が、それぞれ「前記第１言語を用いた制御」及び「前記第１言語と前記第２言語との双方を用いた制御」と上位概念化され、そして、「前記異常報知手段により前記異常に関する報知が実行されるときは、該異常に関する報知に対応する音声が、前記第２言語で出力されず、前記第１言語で出力される」との限定を削除したものである。
　そうすると、上記「第２［理由］２　２−２（３）」で説示したとおり、本願発明の構成要件を全て含む本件補正発明と先願発明とは全ての構成で一致することから、本願発明と先願発明とは全ての構成で一致する。
　したがって、本願発明は、先願発明と同一である。
       
５　むすび
　以上のとおり、本願発明は、特許法第２９条の２の規定により、特許を受けることができない。
　したがって、本願は拒絶すべきである。
　よって、結論のとおり審決する。